(57)【要約】      （修正有）【課題】ビス等の固定具を用いることなく、長手状の外装材の端部を取り付けることにより、その面板部を湾曲状に敷設することができる外装材取付用保持部材、外装構造、及びその施工法を提供する。【解決手段】外装材取付用保持部材１は、面板部２１の両側端に立上り部２２を介して段差部２３を有する外装材２を、下地３に取り付けるための部材であって、保持部材１は、最端側に位置して中央側下方へ傾斜する垂れ部と、垂れ部から段状部１３を介して中央側へ上り傾斜する支持部１４と、を備え、隣り合う保持部材１，１の段状部１３，１３間の距離Ｌ１は、配設前の外装材２'における段差部２３，２３間の面板部２１の幅長Ｌ２より小さく、保持部材１を下地３に固定した状態で外装材２が配設されることで、立上り部２２，２２間の面板部２１を凹状に湾曲させて取り付けることができることを特徴とする。【選択図】図２
2020197068.tif 000002
【特許請求の範囲】
【請求項１】
面板部の両側端に立上り部を介して段差部を有する外装材を、下地に取り付けるための外装材取付用保持部材であって、
当該保持部材は、最端側に位置して中央側へ下り傾斜する垂れ部と、該垂れ部から段状部を介して中央側へ上り傾斜する支持部と、を備え、隣り合う保持部材の段状部間の距離は、配設前の外装材における段差部間の面板部の幅長より小さく、
当該保持部材を下地に固定した状態で前記外装材が配設されることで、前記立上り部間の面板部を凹状に湾曲させて取り付けることができることを特徴とする外装材取付用保持部材。
【請求項２】
段状部は、端側下方への傾斜状であることを特徴とする請求項１に記載の外装材取付用保持部材。
【請求項３】
段状部から下地への高さは、配設前の外装材における段差部から面板部への高さより大きいものであることを特徴とする請求項１又は２に記載の外装材取付用保持部材。
【請求項４】
請求項１〜３の何れか一項に記載の外装材取付用保持部材を用いた外装構造の施工法であって、
当該保持部材を下地に固定して前記外装材を配設し、左右の当該保持部材の段状部上に、外装材の両段差部をそれぞれ当接状に配設すると共に、前記立上り部間の面板部を凹状に湾曲させて取り付けることを特徴とする外装構造の施工法。
【請求項５】
請求項１〜３の何れか一項に記載の外装材取付用保持部材を用い、隣り合う外装材の側縁上に保持部材を覆う瓦桟カバーを含む接続材を配設してなる外装構造であって、
前記保持部材を下地に固定した状態で前記外装材が配設されることで、前記立上り部間の面板部を凹状に湾曲させて取り付けたことを特徴とする外装構造。
【発明の詳細な説明】
【技術分野】
【０００１】
本発明は、ビス等の固定具を用いることなく、長手状の外装材の端部を取り付けることにより、その面板部を湾曲状に敷設することができる外装材取付用保持部材、外装構造、及びその施工法に関する。
【背景技術】
【０００２】
流れ方向に凹状の湾曲面を備える外装構造は、雨水が湾曲面を流下するのは勿論、強風に対しても物理的に高い耐久性を有するため、台風等にも十分な耐性を備えている構造と言える。
この構造を施工するため、下地上に長手状の外装材を湾曲状に配設するには、外装材の側端が円弧状になるように敷設してビス等の固定具で固定する構造（方法）が知られ、例えば特許文献１にも提案されている。
この特許文献１には、屋根材２を凹状に撓んだ状態で設置し、該屋根材２の側端にビス４を打ち込んで縦ジョイント３に固定する屋根構造が記載されている。
【先行技術文献】
【特許文献】
【０００３】
【特許文献１】特開２０１５−００４２０６号公報
【発明の概要】
【発明が解決しようとする課題】
【０００４】
しかしながら、前記特許文献１の構造のようにビス等の固定具を用いた構造では、固定部分（＝ビス孔）からの漏水が発生する恐れがあった。さらに、このビス孔は、長尺で最も熱や外力を受ける外装材に形成されているため、この外装材の熱伸縮や経年変化等により、孔縁が腐食したり孔径が拡大する恐れもあった。
なお、この特許文献１では、縦ジョイント３の下側に捨板７を配し、屋根板の裏面側に浸入した雨水を排水する構造を具備させてはいるが、このように雨水の浸入を前提とする構造では、前述のように漏水の可能性が高いし、想定の気象条件、例えば暴風雨を伴う台風等には到底耐えられないものであった。
【０００５】
そこで、本発明は、ビス等の固定具を用いることなく、長手状の外装材の端部を挟着状に取り付けることにより、その面板部を湾曲状に敷設することができる外装材取付用の保持部材、外装構造、及びその施工法を提供することを目的とする。
【課題を解決するための手段】
【０００６】
本発明は、上記に鑑み提案されたものであって、面板部の両側端に立上り部を介して段差部を有する外装材を、下地に取り付けるための外装材取付用保持部材であって、当該保持部材は、最端側に位置して中央側へ下り傾斜する垂れ部と、該垂れ部から段状部を介して中央側へ上り傾斜する支持部と、を備え、隣り合う保持部材の段状部間の距離は、配設前の外装材における段差部間の面板部の幅長より小さく、当該保持部材を下地に固定した状態で前記外装材が配設されることで、前記立上り部間の面板部を凹状に湾曲させて取り付けることができることを特徴とする外装材取付用保持部材に関するものである。
【０００７】
また、本発明は、前記保持部材において、段状部は、端側下方への傾斜状であることを特徴とする外装材取付用保持部材をも提案する。
【０００８】
また、本発明は、前記保持部材において、段状部から下地への高さは、配設前の外装材における段差部から面板部への高さより大きいものであることを特徴とする外装材取付用保持部材をも提案する。
【０００９】
さらに、本発明は、前記保持部材を用いた外装構造の施工法であって、、隣り合う外装材の側縁上に接続材を配設してなる外装構造であって、当該保持部材を下地に固定して前記外装材を配設し、左右の当該保持部材の段状部上に、外装材の両段差部をそれぞれ当接状に配設すると共に、前記立上り部間の面板部を凹状に湾曲させて取り付けることを特徴とする外装構造の施工法をも提案するものである。
【００１０】
さらに、本発明は、前記保持部材を用い、隣り合う外装材の側縁上に接続材を配設してなる外装構造であって、保持部材を覆う瓦桟カバーを含む接続材を配設してなる外装構造であって、前記保持部材を下地に固定した状態で前記外装材が配設されることで、前記立上り部間の面板部を凹状に湾曲させて取り付けたことを特徴とする外装構造も提案するものである。
【発明の効果】
【００１１】
本発明の外装材取付用保持部材は、最端側に位置して中央側へ下り傾斜する垂れ部から段状部を介して中央側へ上り傾斜する支持部を備え、隣り合う保持部材の段状部間の距離は、配設前の外装材における段差部間の面板部の幅長より小さいので、左右の保持部材の段状部上に、隣り合う外装材の段差部をそれぞれ当接状に配設することにより、ビス等の固定具を用いることなく、その面板部を凹状に、即ち下方に窪むように湾曲させて敷設することができる。
そのため、当該保持部材にて施工された外装構造は、凹状の湾曲面（湾曲状の面板部）にて雨水を流れ方向に速やかに排水することができ、しかも強風に対する高い耐久性を有するので、仮に想定外の気象条件、例えば暴風雨を伴う台風等に遭遇しても十分な耐性を備えている。なお、外装材の取付に際し、中央側へ下り傾斜する傾斜状縦片として形成した垂れ部に対し、側方から外装材の立上り部を配設すると、係止状に立上り部を沿わせることができ、安定に外装材を配置させることができる。
【００１２】
また、段状部は、端側下方への傾斜状である場合には、凹状への湾曲をより安定に、より容易に、且つ確実にでき、敷設（取付）後の状態についても、確実に維持（保持）される。
【００１３】
また、段状部から下地への高さは、配設前の外装材における段差部から面板部への高さより大きい場合、立上り部間の面板部が凹状に湾曲する空間が十分に確保されるため、凹状への湾曲をより安定に、より容易に、且つ確実にでき、敷設（取付）後の状態についても、確実に維持（保持）される。
【００１４】
さらに、前記保持部材を用い、当該保持部材を下地に固定して前記外装材を配設し、左右の当該保持部材の段状部上に、外装材の両段差部をそれぞれ当接状に配設すると共に、前記立上り部間の面板部を凹状に湾曲させて取り付ける施工法は、面板部を凹状に湾曲させるために多大な押圧力を必要とせず、軽微な力で容易に取り付けることができる。
【００１５】
さらに、前記保持部材を用い、隣り合う外装材の側縁上に保持部材を覆う瓦桟カバーを含む接続材を配設してなる外装構造は、前述のように外装材を凹状の湾曲面を形成するように施工したものであって、ビス等の固定具を用いていないので、外装材の熱伸縮や経年変化等により、ビス孔の縁部やビス自体が腐食することもないし、ビス孔の孔径が拡大する恐れもない。さらに、雨水による漏水を生ずることがなく、雨や強風に対する高い耐久性を備えるものである。
【図面の簡単な説明】
【００１６】
【図１】（ａ）本発明の外装材取付用保持部材の一実施例（第１実施例）を用いた外装構造を示す分解正断面図、（ｂ）下地に取り付ける保持部材と、接続材を構成する取付補助材及びバックアップ材を示す正断面図である。
【図２】（ａ）第１実施例にて取り付けられる外装材を示す正断面図、（ｂ）第１実施例の外装材取付用保持部材への取り付けにより、外装材の面板部が凹状に湾曲される状態を示す正断面図である。
【図３】第１実施例の外装材取付用保持部材により下地に取り付けられた外装材と、隣り合う外装材の側縁上に接続材を配設した外装構造を示す正断面図である。
【発明を実施するための形態】
【００１７】
本発明の外装材取付用保持部材（以下、単に保持部材という）は、面板部の両側端に立上り部を介して段差部を有する外装材を、下地に取り付けるための部材であって、最端側に位置して中央側へ下り傾斜する垂れ部と、該垂れ部から段状部を介して中央側へ上り傾斜する支持部と、を備え、隣り合う保持部材の段状部間の距離は、配設前の外装材における段差部間の面板部の幅長より小さく形成されている。
そのため、左右の保持部材の段状部上に、外装材の両段差部をそれぞれ当接状に配設すると共に、支持部上に段差部から端側の面板部（延在面部）を沿わせるように配設することにより、ビス等の固定具を用いることなく、その面板部を凹状に、即ち下方に窪むように湾曲させて敷設することができる。
【００１８】
この保持部材は、外装材を保持でき、下地上に固定できる強度を有する素材であれば、公知の素材を適用でき、アルミの押出型材やそれ以外の金属製或いは硬質樹脂製の成形体等が用いられ、流れ方向に連続する通し材として成形される。
また、この保持部材は、前述のように最端側に位置して中央側へ下り傾斜する垂れ部と、該垂れ部（の上端）から段状部を介して中央側へ上り傾斜する支持部と、下地への固定部と、を備えている。
【００１９】
前記固定部は、下地上に固定される部位であって、固着具等にて下地に固定される横片として形成されるものであり、部材の最端側に設けてもよいし、後述する図示実施例のように部材の中央に設けてもよい。
【００２０】
前記垂れ部は、最端側に位置して中央側へ下り傾斜する傾斜状縦片であって、左右両端に形成される。この垂れ部は、外装材の取付時には、その立上り部が沿うように配置される部位である。そのため、外装材の取付に際しては、この垂れ部に対し、側方から外装材の立上り部を配設すると、係止状に立上り部を沿わせることができ、安定に外装材を配置させることができる。
【００２１】
また、前記支持部は、前記垂れ部の上端から段状部を介して中央側へ上り傾斜する傾斜状横片であり、前記垂れ部と同様に左右に形成される。この支持部は、外装材の取付時には、その段差部から端側の面板部が沿うように配置される部位である。そのため、外装材の取付に際しては、中央側へ上り傾斜する傾斜状横片である支持部に対し、段差部から端側の面板部を安定に沿わせて外装材を配置させることができる。
【００２２】
さらに、前記段状部は、前記垂れ部（＝傾斜状縦片）の上端から前記支持部（＝傾斜状横片）が延在する凸状角部として形成され、前記垂れ部や前記支持部と同様に左右に形成される。この段状部は、外装材の取付時には、その段差部が当接状に配置される部位である。そのため、外装材の取付に際しては、凸状角部である段状部に対し、段差部を安定に当接させて外装材を配置させることができる。
【００２３】
左右に隣り合う前記保持部材間に取り付けられる外装材は、面板部の両側端に立上り部を介して段差部を有するものである。
前記立上り部は、面板部の端縁から立ち上げられる縦面を指すが、後述する図示実施例に示すように略垂直状に形成することが望ましい。
また、前記段差部は、前記立上り部の上端を端側へ延在させて形成される角部分を指すが、後述する図示実施例に示すように立上り部の上端を略水平状に端側へ延在させることにより、略直角状に形成することが望ましい。
なお、後述する図示実施例に示すように前記立上り部の上端を端側へ延在させた端縁を上方へ折り曲げ、水返し部を設けることが望ましい。
この外装材は、流れ方向に長尺であって、代表的には概ね０．４〜１．６ｍｍ程度の溶融亜鉛メッキ鋼板やガルバリウム（登録商標）鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。
【００２４】
そして、隣り合う保持部材の段状部間の距離Ｌ１は、配設前の外装材における段差部間の面板部の幅長Ｌ２より小さくなる（Ｌ１＜Ｌ２）ように取り付けられる。
そのため、当該保持部材を下地に固定して外装材を配設する際には、左右の保持部材の段状部上に、外装材の左右の段差部をそれぞれ当接状に配設されるには、立上り部間の面板部を凹状に湾曲させることで取り付けることができる。即ち立上り部間の面板部には、側方からの押圧力を作用させて取り付けるため、その弾性反発力にて安定に凹状に湾曲される状態が維持される。
それに反し、Ｌ１＞Ｌ２になるように取り付けると、左右の保持部材の段状部と、隣り合う外装材の段差部とが離反状に配設され、立上り部間の面板部には自重のみが作用するに過ぎないので、凹状に取り付けられても極めて不安定である。
【００２５】
なお、左右の保持部材の段状部上に、隣り合う外装材の段差部がそれぞれ当接状に配設される際には、より詳しくは、保持部材の垂れ部に外装材の立上り部が沿い、保持部材の支持部に外装材の段差部から端側の面板部が沿うので、保持部材に対して安定に外装材が取り付けられる。
【００２６】
さらに、段状部を、端側下方への傾斜状とする場合、例えば前述のように垂れ部（＝傾斜状縦片）の上端から支持部（＝傾斜状横片）が延在する凸状角部とした態様が相当するが、外装材の段差部を取り付ける際に容易に取り付けることができる。後述する図示実施例では、直角状の段差部を、直角よりやや大きい角度の凸状角部である段状部に対し、容易に取り付けられることを示している。
【００２７】
また、前記段状部から下地への高さＨ１は、配設前の外装材における立上り部の高さＨ２より大きくなる（Ｈ１＞Ｈ２）ように形成されている。
そのため、当該保持部材を下地に固定して外装材を配設する際には、左右の保持部材の段状部上に、外装材の左右の段差部をそれぞれ当接状に配設でき、立上り部間の面板部を凹状に湾曲させる空間が形成できる。
それに反し、Ｈ１＜Ｈ２になるように形成すると、段状部と段差部とがそもそも当接できず、立上り部間の面板部が凹状に湾曲される空間も形成されない。
【００２８】
このように本発明の保持部材により、前記外装材を、その面板部を凹状に湾曲させて敷設することができる。
そして、この保持部材を用いた外装構造には、ビス等の固定具を用いることなく施工できるので、外装材の熱伸縮や経年変化等により、ビス孔の縁部やビス自体が腐食することもないし、ビス孔の孔径が拡大する恐れもない。さらに雨水の浸入による漏水が発生する恐れが全くないものである。また、前記特許文献１のような雨水の浸入等を考慮した構成を基本的に必要としない。
【００２９】
また、前記保持部材を用いた外装構造は、隣り合う外装材の側縁間を覆う瓦桟カバーを含む接続材を配設してなる。
この瓦桟カバーは、隣り合う外装材の側縁間を覆う化粧材であるが、外装材の両側縁からの雨水の浸入を防止する部材をも兼ねる。そのため、後述する図示実施例では、化粧面部を円弧状に成形し、その両側端が外装材の段差部から端側の延在部に近接して臨むように形成し、その下端を内側へ折り曲げた形状とした。この瓦桟カバー以外の接続材としては、後述する図示実施例に示すようにその裏面側に略同等の外郭形状を有する補強材、該補強材を取り付け、隣り合う外装材の側縁を沿わせる取付用補助材、更に前記補強材の下面に配されてこの補強材や瓦桟カバーの変形を防止するバックアップ材等を用いるようにしてもよい。
【００３０】
前記補強材は、前記瓦桟カバーの化粧面部を裏面から支持する受支面部と、取付補助材に沿わせてビス等の固定具にて固定する固定面部とを備える部材であり、瓦桟カバーの化粧面部の凹み等を防止することができる。
前記取付補助材は、前記保持部材と共に下地に固定される部材であって、前述のように隣り合う外装材の側縁を沿わせる部位（沿設部）と、前記補強部を取り付ける取付固定部とを備える部材である。
また、前記バックアップ材は、前記補強材や瓦桟カバーの変形を防止する弾性を備える部材であり、前記取付補助材上に保持される。
【００３１】
前記瓦桟カバーを含む接続材は、前記保持部材や前記外装材の配設に支障を生ずることなく配設でき、隣り合う外装材の側縁間を覆うと共に外装材の両側縁からの雨水の浸入を防止する構造である。
しかも、瓦桟カバー以外の材料は、必ずしも流れ方向に連続する材料でなくても所定幅の部材を所定間隔で取り付けたものでもよく、ビス等を用いて取り付けても瓦桟カバーにて覆われるので、特に前述の構成に限定されるものではない。
【実施例】
【００３２】
図１に示す本発明の第１実施例の保持部材１は、下地３に取り付ける固定部１１を部材の中央に設け、最端側に位置して中央側へ下り傾斜する垂れ部１２と、該垂れ部１２から段状部１３を介して中央側へ上り傾斜する支持部１４と、を備える部材である。
この保持部材１は、流れ方向に連続する外装材２の面板部２１を、詳しくは面板部２１の両側端に立上り部２２を介して段差部２３を有する外装材２の立上り部２２，２２間の面板部２１を、凹状に湾曲させて取り付けることができる。
【００３３】
前記保持部材１は、図１（ｂ）に示すように中央に固定部１１が設けられ、中央側から端側へ向かって順に、立ち上げ縦面１５、支持部１４、段状部１３、垂れ部１２が左右それぞれに設けられている。
前記段状部１３は、傾斜状縦面である垂れ部１２の上端から傾斜状横面である支持部１４が延在して形成され、直角よりやや大きく形成される凸状角部である。なお、段状部１３から下地３までの距離（高さ）は、図２（ｂ）に示すようにＨ１に形成されている。
【００３４】
また、施工前の外装材２'（施工後の外装材２と区別するために外装材２'とした）は、図１（ａ）中に点線にて示すように、面板部２１が水平状の横面で、立上り部２２，２２が鉛直状の縦面であるため、段差部２３，２３は直角状の凸状角部であり、各段差部２３からそれぞれ端側へ延在する延在面部２４も、前記面板部２１と同様に水平状の横面であって、最端側の水返し部２５，２５は跳ね上げ片状（傾斜状）に形成されている。なお、段状部１３の高さ、即ち面板部２１から延在面部２４への高さは、図２（ｂ）に示すようにＨ２に形成されている。
【００３５】
図１（ａ）の左側及び中央側には、瓦桟カバー７及び補強材６を配設する以前の状態を示し、右側には瓦桟カバー７及び補強材６を配設した後の状態を示している。
図１（ｂ）には、保持部材１と、前記瓦桟カバー７及び補強材６以外の接続材として、取付補助材４及びバックアップ材５を示している。この取付補助材４は、前記保持部材１と共に下地３に取り付けられる部材であり、バックアップ材５は、前記取付補助材４に保持される部材である。
なお、この第１実施例における下地３は、既設のモルタルセメント層の上面に新設のモルタルセメント層を施工し、その表面には防水シート材３ｂが敷設した構造である。
【００３６】
前記取付補助材４は、前記保持部材１の固定部１１と共に下地３に固定される固定横片４１と、該固定横片４１の両端から拡開状に立ち上がる縦片４２，４２と、各縦片４２の上端から中央側上方へ延在する支持傾斜片４３とからなる。
前記バックアップ材５は、弾性発泡材からなり、側面視矩形状の角柱体である。
前記補強材６は、所定間隔で取り付けられる短幅材であって、部材の中央から左右に延在する取付支持部６１と、その両端から略Ｖ字状に下方へ折り曲げた押さえ部６２と、その更に端側下方へ延在する係止部６３とからなる。
そして、前記瓦桟カバー７は、前記外装材２と同様に流れ方向に連続する長尺材であって、上方へ凸状に湾曲する化粧部７１と、その両端を折り返した係合部７２とからなる。
【００３７】
この第１実施例における保持部材１にて、外装材２の立上り部２２，２２間の面板部２１を凹状に湾曲させて取り付けられることを図２を用いて説明する。
図示するように隣り合う保持部材１，１の段状部１３，１３間の距離Ｌ１は、配設前の外装材２'における段差部２３，２３間の面板部２１の幅長Ｌ２より小さくなる（Ｌ１＜Ｌ２）ように取り付けられている。
そのため、この保持部材１を下地３に固定して外装材２'を配設する際には、左右の保持部材１，１の段状部１３，１３上に、外装材２'の左右の段差部２３，２３がそれぞれ当接状に配設されるには、立上り部２２，２２間に位置する面板部２１を凹状に湾曲させることで取り付けることができる。即ち面板部２１には、側方からの押圧力を作用させて取り付けるため、その弾性反発力にて安定に凹状に湾曲される状態が維持される。
【００３８】
さらに、図示するように保持部材１の段状部１３から下地３への高さＨ１は、配設前の外装材２'における立上り部２２の高さＨ２より大きくなる（Ｈ１＞Ｈ２）ように形成されている。
そのため、この保持部材１を下地３に固定して外装材２'を配設する際には、左右の保持部材１，１の段状部１３，１３上に、外装材２'の左右の段差部２３，２３をそれぞれ当接状に配設でき、立上り部２２，２２間に位置する面板部２１を凹状に湾曲させる空間（該空間の高さＨ１−Ｈ２）が形成できる。
【００３９】
この保持部材１を用いた外装材２'の施工手順を簡単に説明する。
図２（ｂ）に白抜き矢印で示すように外装材２'を取り付けるが、より具体的には、外装材２'を水平状に維持したまま面板部２１を弾性に抗して下方へ凹状に湾曲させ、この状態で下方へ垂直状に移動させ、保持部材１へ取り付けるようにしてもよいし、左右の何れかを下向きになるように傾斜状に臨ませて取り付けるようにしてもよい。
前者は、左右両方の段状部１３，１３に対し、外装材２の左右両方の段差部２３，２３がほぼ同時に当接（係合）させる方法であり、後者は、左右の何れか一方の段状部１３に対し、外装材２の段差部２３を当接（係合）させた後に他方を当接（係合）させる方法である。
何れの手法でも、弾性に抗して面板部２１を下方へ凹状に湾曲させた状態で保持部材１の段状部１３，１３に外装材２'の段差部２３，２３を当接（係合）させることが重要であるが、その取付操作において、以下に示すように軽微な力で取り付けることができる。
即ち前者では、外装材２'の左右端を保持した作業者が、面板部２１が下方へ弛むように凹状に変形させた状態で、左右の保持部材１，１間に降ろすように取り付ければよい。なお、外装材２'の左右端を保持することで、面板部２１は自重で凹状に変形するため、作業者は両側からの軽微な押圧にて面板部２１を容易に凹状に変形できる。
また後者では、傾斜状に臨ませた外装材２'の一方の段差部２３を段状部１３に当接させた後、面板部２１を凹状に変形させつつ回動させて他方の段差部２３を当接させればよい。なお、外装材２'の一端が下方に、他端が上方になるように傾斜させた時点で外装材２'自体に重力が作用するため、作業者は軽微な力で面板部２１を容易に凹状に変形できる。
【００４０】
このように配設された外装材２は、前述の保持部材１の垂れ部１２及び段状部１３によって、安定に取り付けられ、しかも面板部２１を下方に窪むように湾曲させて敷設することができる。
即ち保持部材１の垂れ部１２は、前述のように中央側へ下り傾斜する傾斜状縦片として形成されているので、外装材２を配設した状態では立上り部２２，２２が隣り合う垂れ部１２，１２に嵌合状に取り付けられるため、面板部２１の下方への湾曲が安定に維持されるし、上方へ脱離することもなく安定に取り付けられる。
また、保持部材の段状部１３は、前述のように垂れ部１２の上端から支持部１４が延在して形成され、直角よりやや大きい凸状角部であるため、外装材２を配設した状態では段差部２３が内側から拡開する圧力を受けつつ取り付けられるので、段差部２３から端側へ延在する延在面部２４は支持部１４に密着状に沿い、面板部２１の下方への湾曲が安定に維持されるし、上方へ脱離することもなく安定に取り付けられる。
【００４１】
図３や前記図１（ａ）の右側には、当該保持部材１を用いて前記外装材２を下地３に取り付けた外装構造の断面図であって、隣り合う外装材２，２の側縁上に瓦桟カバー７を含む接続材を配設した構成が示されている。
【００４２】
ここで、前記瓦桟カバー７を含む図示実施例の接続材の施工手順について説明する。
前記取付補助材４は、前述のように前記保持部材１と共に下地３に固定されるものであって、前記保持部材１の固定部１１上に固定横片４１を沿わせ（載置し）た状態で固定具１ｂを下地３へ打ち込んで固定する。
その後、前記取付補助材４の縦片４２，４２間に、バックアップ材５を配置する。
続いて前記補強材６を上方から取り付けるが、前記取付補助材４の支持傾斜片４３に、取付支持部６１を沿わせてビス６ｂを打ち込んで固定する。
前記瓦桟カバー７は、前記補強材６の取付とは異なり、前方側又は後方側から臨ませ、部材の長さ方向にスライドさせて取り付ける。即ち前記補強材６の左右の係止部６３，６３に、瓦桟カバー７の係合部７２，７２がそれぞれ係合するように部材の長さ方向へスライドさせて取り付ける。
なお、当該施工手順は、図示実施例の接続材に限るものであり、接続材を構成する各部材を適宜に変更した場合には、それに応じた施工手順を採用すれば良い。
【００４３】
こうして施工された外装構造では、瓦桟カバー７の化粧部７１が、その裏面側に補強材６の取付支持部６１が位置しているため、変形（特に上方からの押圧力に対する変形）を生ずることがない。
そして、凹状に湾曲された面板部２１にて雨水等を流れ方向に円滑に排水できる。しかも外装材２の立上り部２２は、保持部材１の垂れ部１２に沿い、中央側へ下り傾斜するため、恰も樋状部分の側面となるので、円滑に排水できる。
さらに、補強材６の略Ｖ字状の押さえ部６２は、図１（ａ）の右側に示されるようにその下端が外装材２の延在面部２４に近接するように配され、取付補助材４の縦片４２との間に外装材２の水返し部２５が挟まれるように位置させているため、仮に雨水等が前述の樋状部分を超え、更に瓦桟カバー７の内側に侵入したとしても、押さえ部６２にてそれ以上端側への浸入を防止することができる。
なお、取付補助材４の支持傾斜片４３は、縦片４２から中央上方へ向いているため、特に新たな脱離防止手段を付与しなくても、当該支持傾斜片４３，４３にてバックアップ材５の上方への脱離防止が果たされる。
【符号の説明】
【００４４】
１  保持部材
１１  固定部
１２  垂れ部
１３  段状部
１４  支持部
１５  立ち上げ縦面
２  外装材
２１  面板部
２２  立上り部
２３  段差部
２４  延在面部
２５  水返し部
３  下地
３ｂ  防水シート材
４  取付補助材
４１  固定横片
４２  縦片
４３  支持傾斜片
５  バックアップ材
６  補強材
６１  取付支持部
６２  押さえ部
６３  係止部
７  瓦桟カバー
７１  化粧部
７２  係合部
【図１】
2020197068.tif 000003
【図２】
2020197068.tif 000004
【図３】
2020197068.tif 000005